(57)【要約】      （修正有）【課題】保温性及び取り扱い性に優れる床板、及び、床板が配設されたケージを提供する。【解決手段】床板６は、フェノール樹脂からなる平板状の基材６１と、基材６１の表面を被覆する白色のメラミン樹脂からなる皮膜６２と、ケージに収容される実験用動物に応じて直径が設定された複数の孔６３と、を備える。【選択図】図５
0003154650.tif 000002
【実用新案登録請求の範囲】
【請求項１】
実験用動物を収容するケージ内に配設される床板であって、
基材が熱硬化樹脂からなる、床板。
【請求項２】
前記基材は、フェノール樹脂からなる、請求項１に記載の床板。
【請求項３】
前記基材は、その表面がメラミン樹脂で被覆されている、請求項１に記載の床板。
【請求項４】
前記メラミン樹脂は、白色である、請求項３に記載の床板。
【請求項５】
前記実験用動物に応じて直径が設定された複数の孔が形成されている、請求項１に記載の床板。
【請求項６】
前記実験用動物はカニクイザルであって、前記孔は、その直径が略２５ｍｍに形成されている、請求項５に記載の床板。
【請求項７】
実験用動物を収容するケージであって、
請求項１〜請求項６のいずれかに記載の床板を有する、ケージ。
【請求項８】
前記床板を、摺動自在に支持するレールを備える、請求項７に記載のケージ。
【請求項９】
前記床板を固定する固定部材を備える、請求項８に記載のケージ。
【考案の詳細な説明】
【技術分野】
【０００１】
本考案は、例えば、実験用動物を収容するケージ内に配設される床板、及び、該床板が配設されたケージに関する。
【背景技術】
【０００２】
従来、実験用動物は、ステンレス製のケージに収容されて飼育されている。また、該ケージの床板としては、動物による囓り、引っ掻き等に耐える強度が要求され、且つ、蒸気滅菌に耐える耐熱性が要求される。そこで、該床板は、ステンレス等によって構成されていた（特許文献１参照）。特許文献１に記載の小動物用消臭ケージには、多数の通水孔を全面に等間隔に設けた多孔性の床板が配設されている。
【先行技術文献】
【特許文献】
【０００３】
【特許文献１】特開２００６−１７４７６６号公報
【考案の概要】
【考案が解決しようとする課題】
【０００４】
しかしながら、特許文献１に記載の小動物用消臭ケージ等に配設されている従来の床板では、ＳＵＳ３０４等のステンレスによって構成されているため、熱伝導率が大きく、保温性が充分ではない場合があった。また、床板がステンレス等からなるため、重く、取り扱いが困難である場合があった。
【０００５】
本考案は、上記事情に鑑みてなされたものであって、保温性及び取り扱い性に優れる床板、及び、該床板が配設されたケージを提供することを目的としている。
【課題を解決するための手段】
【０００６】
上記目的を達成するために、本考案は、以下の特徴を有している。第１の考案は、実験用動物を収容するケージ内に配設される床板であって、基材が熱硬化樹脂からなる。
【０００７】
第２の考案は、上記第１の考案において、前記基材が、フェノール樹脂からなる。
【０００８】
第３の考案は、上記第１の考案において、前記基材が、その表面がメラミン樹脂で被覆されている。
【０００９】
第４の考案は、上記第３の考案において、前記メラミン樹脂が、白色である。
【００１０】
第５の考案は、上記第１の考案において、前記実験用動物に応じて直径が設定された複数の孔が形成されている。
【００１１】
第６の考案は、上記第５の考案において、前記実験用動物はカニクイザルであって、前記孔が、その直径が略２５ｍｍに形成されている。
【００１２】
第７の考案は、実験用動物を収容するケージであって、請求項１〜請求項６のいずれかに記載の床板を有する。
【００１３】
第８の考案は、上記第７の考案において、前記床板を、摺動自在に支持するレールを備える。
【００１４】
第９の考案は、上記第８の考案において、前記床板を固定する固定部材を備える。
【考案の効果】
【００１５】
上記第１の考案によれば、基材が熱硬化樹脂からなるため、保温性に優れる。また、例えば、１２０℃での蒸気滅菌にも耐える耐熱性を有する。更に、樹脂であるため、ステンレスと比較して軽量であるので、実験者等による取り扱いが容易である。加えて、ステンレスの場合には、ケージに収容された実験用動物の動きに応じて（又は、実験者等による取り扱いの際に）金属音が発生するが、樹脂であるため金属音の発生がない。
【００１６】
上記第２の考案によれば、前記基材が、フェノール樹脂からなるため、動物による囓り、引っ掻き等に耐える強度及び硬度を有する。
【００１７】
上記第３の考案によれば、前記基材の表面がメラミン樹脂で被覆されているため、表面色を所望する色（例えば、白色）にすることができると共に、耐汚れ性に優れている（＝汚れが付着し難い）。
【００１８】
上記第４の考案によれば、前記メラミン樹脂が、白色であるため、前記実験用動物からの出血等を容易に視認することができる。
【００１９】
上記第５の考案によれば、前記実験用動物に応じて直径が設定された複数の孔が形成されているため、前記実験用動物の排泄物等を、ケージ外に容易に排出することができる。また、前記孔は、前記実験用動物に応じて直径が設定されているため、前記実験用動物が前記孔に手足等を挟むことを防止することができる。
【００２０】
上記第６の考案によれば、前記実験用動物はカニクイザルであって、前記孔が、その直径が略２５ｍｍに形成されているため、カニクイザルが前記孔に手足等を挟むことを防止することができる。
【００２１】
上記第７の考案によれば、請求項１〜請求項６のいずれかに記載の床板を有するため、保温性に優れる。また、例えば、１２０℃での蒸気滅菌にも耐える耐熱性を有する。更に、前記床板が樹脂であるため、ステンレスと比較して軽量であるので、実験者等による取り扱いが容易である。
【００２２】
上記第８の考案によれば、前記床板を、摺動自在に支持するレールを備えるため、実験者等が前記床板を容易に着脱することができる。
【００２３】
上記第９の考案によれば、前記床板を固定する固定部材を備えるため、前記レール上に載置された前記床板を容易に固定することができる。
【図面の簡単な説明】
【００２４】
【図１】ケージの一例を示す正面図
【図２】ケージの一例を示す上面図
【図３】ケージの一例を示す背面図
【図４】ケージの一例を示す側面図
【図５】床板の一例を示す上面図及び断面図
【考案を実施するための形態】
【００２５】
以下、図面を参照して本考案に係るケージ１００の実施形態について説明する。図１は、ケージ１００の一例を示す正面図である。図２は、ケージ１００の一例を示す上面図である。図３は、ケージ１００の一例を示す背面図である。図４は、ケージ１００の一例を示す側面図である。
【００２６】
まず、図１〜図３を用いて、本考案に係るケージ１００の構成について説明する。図１〜図３に示すように、ケージ１００は、外枠１、前面扉２、上面パネル３、側面パネル４、背面パネル５、床板６、レール７、及び、止め金具８を備えている。外枠１は、ＳＵＳ３０４等のステンレス製の角パイプからなる枠である。また、外枠１には、前面扉２、上面パネル３、側面パネル４、背面パネル５、レール７、及び、止め金具８が、溶接等により固定される。
【００２７】
前面扉２は、図１に示すように、ＳＵＳ３０４等のステンレス製の棒材が溶接等で格子状に構成された扉であって、一方端（ここでは、右側）が、蝶番２１によって、開閉自在に、前面位置において外枠１に固定されている。すなわち、蝶番２１は、蝶番２１の有する一方側の板状部材が外枠１にボルト等で固定され、蝶番２１の有する他方側の板状部材が溶接等で前面扉２に固定されている。
【００２８】
上面パネル３は、図２に示すように、ＳＵＳ３０４等のステンレス製の平板であって、溶接等によって、上面位置において外枠１に固定されている。
【００２９】
側面パネル４は、図４に示すように、ＳＵＳ３０４等のステンレス製の平板であって、溶接等によって、両側の側面位置において外枠１に固定されている。また、側面パネル４は、略中央部に、開口部４１が形成され、該開口部４１の周囲に、窓枠４２がコの字状に形成されている。更に、該窓枠４２には、ＳＵＳ３０４等のステンレス製の平板からなるスライド扉４３が着脱自在に装着されている。
【００３０】
背面パネル５は、図３に示すように、ＳＵＳ３０４等のステンレス製の平板であって、溶接等によって、背面位置において外枠１に固定されている。
【００３１】
床板６は、図１に示すように、レール７上に着脱自在に載置される。床板６の詳細な構成については図５を用いて後述する。
【００３２】
レール７は、床板６を前後方向に摺動自在に支持するものであって、ＳＵＳ３０４等のステンレス製の断面視Ｊ字形に成形された板状部材からなり、前後方向に平行に外枠１の内面側に固定されている。このように、床板６を、摺動自在に支持するレール７を備えるため、実験者等が床板６を容易に着脱することができる。
【００３３】
止め金具８（固定部材に相当する）は、床板６を外枠１に固定する金具であって、例えば、いわゆるＰラッチから構成されている。このように、床板６を外枠１に固定する止め金具８を備えるため、レール７上に載置された床板６を容易に外枠１に固定することができる。なお、本実施形態では、固定部材が止め金具８である場合について説明するが、その他の種類の固定部材である形態でも良い。
【００３４】
次に、図５を用いて、本考案に係る床板６について説明する。図５は、床板６の一例を示す上面図及び断面図である。図５（ａ）は、床板６の上面図であり、図５（ｂ）は、床板６のＡ−Ａ断面図である。図５（ｂ）に示すように、床板６は、基材６１の上面側（図５（ｂ）の上側）に、皮膜６２が被覆されて構成されている。また、床板６には、上下方向に貫通する複数の孔６３が形成されている。
【００３５】
基材６１は、フェノール樹脂からなる平板状の部材である。なお、基材６１の厚さは、ケージ１００に収容される実験用動物に応じて設定される。例えば、実験用動物がカニクイザルである場合には、８ｍｍに設定される。基材６１が、フェノール樹脂からなるため、動物（ここでは、カニクイザル）による囓り、引っ掻き等に耐える強度及び硬度を有する。また、基材６１が、樹脂（ここでは、フェノール樹脂）であるため、ステンレスと比較して軽量であるので、実験者等による取り扱いが容易である。
【００３６】
皮膜６２は、白色のメラミン樹脂からなり、基材６１の上面に被覆されている。このようにして、基材６１の表面がメラミン樹脂からなる皮膜６２で被覆されているため、表面色を所望する色（ここでは、白色）にすることができると共に、耐汚れ性に優れている（＝汚れが付着し難い）。また、皮膜６２が、白色であるため、ケージ１００に収容されている実験用動物からの出血等を容易に視認することができる。更に、床板がステンレス等の金属からなる場合には、ケージに収容された実験用動物の動きに応じて（又は、実験者等による取り扱いの際に）金属音が発生するが、基材６１及び皮膜６２が樹脂であるため金属音の発生がない。
【００３７】
床板６としては、具体的には、例えば、デコラヴィータ（登録商標）が好適である。デコラヴィータは、軽量であって取り扱い性に優れ、且つ、強度、硬度、耐熱性、保温性に優れるため、床板６として好適に使用することができる。また、デコラヴィータには、表面にメラミン樹脂が被覆されているため、汚れが付着し難く、且つ、色を自由に選択することができる。
【００３８】
孔６３は、床板６に略等間隔に、千鳥格子状に配設され、その直径は、ケージ１００に収容される実験用動物に応じて設定されている。例えば、実験用動物がカニクイザルである場合には、孔６３の直径は２５ｍｍに設定されている。
【００３９】
このように、床板６に複数の孔６３が形成されているため、ケージ１００に収容された実験用動物の排泄物等を、ケージ１００外に容易に排出することができる。また、孔６３は、ケージ１００に収容される実験用動物に応じて、その直径が設定されているため、前記実験用動物が孔６３に手足等を挟むことを防止することができる。
【００４０】
なお、本考案に係る床板及びケージは、上記実施形態に係る床板６及びケージ１００に限定されず、下記の形態でも良い。
（Ａ）本実施形態においては、床板６の基材６１がフェノール樹脂からなる場合について説明したが、床板６の基材６１が、その他の種類の熱硬化樹脂である形態でも良い。例えば、床板６の基材６１がエポキシ樹脂、ウレタン樹脂等からなる形態でも良い。
【００４１】
（Ｂ）本実施形態においては、床板６の皮膜６２がメラミン樹脂からなる場合について説明したが、その他の種類の熱硬化樹脂である形態でも良い。例えば、床板６の皮膜６２がエポキシ樹脂、ウレタン樹脂等からなる形態でも良い。
【００４２】
（Ｃ）本実施形態においては、床板６の皮膜６２が白色である場合について説明したが、床板６の皮膜６２が、実験者等の所望するその他の色（例えば、水色等）である形態でも良い。
【産業上の利用可能性】
【００４３】
本考案は、例えば、実験用動物を収容するケージ内に配設される床板、及び、該床板が配設されたケージに適用することができる。
【符号の説明】
【００４４】
１００    ケージ
１    外枠
２    前面扉
２１    蝶番
３    上面パネル
４    側面パネル
４１    開口部
４２    窓枠
４３    スライド扉
５    背面パネル
６    床板
６１    基材
６２    皮膜
６３    孔
７    レール
８    止め金具（固定部材）
【図１】
0003154650.tif 000003
【図２】
0003154650.tif 000004
【図３】
0003154650.tif 000005
【図４】
0003154650.tif 000006
【図５】
0003154650.tif 000007